(57)【要約】【課題】  本発明は釣竿ケースに関し、従来の不具合を解消して使い勝手の向上を図ると共に、収容した釣竿の保護を図った釣竿ケースを提供することを目的とする。【解決手段】  請求項１に係る発明は、ケース本体にショルダーベルトを取り付けた釣竿ケースに於て、前記ケース本体に、ケース本体の周方向へ連続する補強板を設けると共に、前記ケース本体に、釣竿出し入れ用の開口部をショルダーベルト側に設けたことを特徴とする。そして、請求項２に係る発明は、請求項１に記載の釣竿ケースに於て、前記ケース本体は、前記補強板が延設された蓋部を有し、前記蓋部に、前記ショルダーベルトを取り付けたことを特徴とし、請求項３に係る発明は、請求項１または請求項２に記載の釣竿ケースに於て、前記ケース本体は、蓋部との間にヒンジ部を有し、前記補強板は前記ヒンジ部で曲げ剛性が小さくなっていることを特徴とする。【選択図】    図２
2008092823.tif 000002
【特許請求の範囲】
【請求項１】
ケース本体にショルダーベルトを取り付けた釣竿ケースに於て、
前記ケース本体に、ケース本体の周方向へ連続する補強板を設けると共に、
前記ケース本体に、釣竿出し入れ用の開口部をショルダーベルト側に設けたことを特徴とする釣竿ケース。
【請求項２】
前記ケース本体は、前記補強板が延設された蓋部を有し、
前記蓋部に、前記ショルダーベルトを取り付けたことを特徴とする請求項１に記載の釣竿ケース。
【請求項３】
前記ケース本体は、蓋部との間にヒンジ部を有し、前記補強板は前記ヒンジ部で曲げ剛性が小さくなっていることを特徴とする請求項１または請求項２に記載の釣竿ケース。
【請求項４】
前記ショルダーベルトと反対側のケース本体の少なくともその長手方向の中央より上方側に、平面状の接地部を設けたことを特徴とする請求項１乃至請求項３のいずれか１項に記載の釣竿ケース。
【発明の詳細な説明】
【技術分野】
【０００１】
本発明は、釣竿を収容して携帯する釣竿ケースに関する。
【背景技術】
【０００２】
従来、釣人は、壊れ易い釣竿を釣竿ケースに収容して釣場に携行している。
特許文献１または特許文献２に開示されるように、この種の釣竿ケースは、釣竿を収容する筒状のケース本体と、前記ケース本体の底部に取り付く樹脂成形品のボトムカップ（底皿体）とを備え、ケース本体の側面には、釣竿ケースを肩に掛けて持ち運ぶためのショルダーベルトや手で持ち運ぶためのハンドル（把手）を始め、小物用のフロントポケットやサイドポケット等が取り付けられている。
【０００３】
そして、ハンドルを握って釣竿ケースを持ち運ぶ際に、ショルダーベルトが地面に触れて汚れてしまうことがないように、ハンドルはショルダーベルトと取付面を同じくしてその内側に取り付けられている。
また、釣竿ケースには、釣竿を出し入れする開口部がケース本体の頂部近傍からボトムカップに亘って設けられており、この開口部に、スライダーの操作で前記開口部を開閉するスライドファスナーが取り付けられている。
【特許文献１】特開２００２−４５０９９号公報
【特許文献２】実開平７−３００６９号公報
【発明の開示】
【発明が解決しようとする課題】
【０００４】
ところで、図６に示すように釣人１が釣竿ケース３を肩に掛けて釣場５に到着すると、釣人１は両手でショルダーベルト７を握って釣竿ケース３を肩から下ろし、これを岩９等に立てかけているが、ショルダーベルト７を握って釣竿ケース３を下ろすと、自重で釣竿ケース３（ケース本体１１）が垂れ下がってショルダーベルト７の取付面１３側が釣人１に対向するため、釣竿ケース３はケース本体１１の背面１５側が岩９等に当接して立てかけられることとなる。
【０００５】
しかし、特許文献１，２に開示されるように、従来、釣竿ケースは、釣竿を出し入れする開口部がショルダーベルトの取付面と反対側（ケース本体の背面側）に設けられていたり、開口部がケース本体の側部側に設けられているため、立てかけた釣竿ケースの開口部が釣人に向くことがないのが実情であった。
このため、釣竿を開口部から取り出す際に、釣人は岩等に立てかけた釣竿ケースの開口部を釣人に向け直さなければならず、また、従来、この種の釣竿ケースには、立てかけた釣竿ケースの位置決めを図る手段が施されていないことも相俟って、開口部を釣人に向け直した際に、釣竿ケースが倒れたりぐらついて使い勝手が悪かった。
【０００６】
そして、釣りを終えて釣竿を収容するために開口部を釣人に向け直した際にも、同様に釣竿ケースが倒れたりぐらついたりして使い勝手がよくないのが実情であった。
また、釣竿ケースを立てかけた際に、ケース本体の剛性が或る程度確保されていないと、開口部の開閉の際に釣竿ケースが変形して釣竿の出し入れがし難く、更に、収容した釣竿の保護が図れなくなる不具合も指摘されていた。
【０００７】
本発明は斯かる実情に鑑み案出されたもので、上述の如き従来の不具合を解消して使い勝手の向上を図ると共に、収容した釣竿の保護を図った釣竿ケースを提供することを目的とする。
【課題を解決するための手段】
【０００８】
斯かる目的を達成するため、請求項１に係る発明は、ケース本体にショルダーベルトを取り付けた釣竿ケースに於て、前記ケース本体に、ケース本体の周方向へ連続する補強板を設けると共に、前記ケース本体に、釣竿出し入れ用の開口部をショルダーベルト側に設けたことを特徴とする。
そして、請求項２に係る発明は、請求項１に記載の釣竿ケースに於て、前記ケース本体は、前記補強板が延設された蓋部を有し、前記蓋部に、前記ショルダーベルトを取り付けたことを特徴とし、請求項３に係る発明は、請求項１または請求項２に記載の釣竿ケースに於て、前記ケース本体は、蓋部との間にヒンジ部を有し、前記補強板は前記ヒンジ部で曲げ剛性が小さくなっていることを特徴とする。
【０００９】
また、請求項４に係る発明は、請求項１乃至請求項３のいずれか１項に記載の釣竿ケースに於て、前記ショルダーベルトと反対側のケース本体の少なくともその長手方向の中央より上方側に、平面状の接地部を設けたことを特徴としている。
【発明の効果】
【００１０】
各請求項に係る発明によれば、ショルダーベルトを掴んで釣竿ケースを肩から下ろして、ショルダーベルトを釣人側に向けて岩等に立てかけると、釣竿を出し入れする開口部が釣人に対向し、且つ補強板によりケース本体の剛性が確保されて釣竿ケースが変形して倒れることがないため、従来に比し釣竿の取り出しや実釣後の収容が容易となって使い勝手が飛躍的に向上することとなった。
【００１１】
また、補強板によってケース本体の剛性が確保される結果、釣竿ケースに収容された釣竿が補強板によって確実に保護される利点を有する。
そして、請求項３に係る発明によれば、ヒンジ部を介して開閉が容易な蓋部を設けた結果、更に釣竿の取り出しや収容が容易となって使い勝手が向上する利点を有する。
更に、請求項４に係る発明によれば、位置決め用の接地部が開口部と反対側のケース本体に形成されているため、接地部を岩等に当接させて釣竿ケースを立てかければ、必ず開口部が釣人側に向くので、あらゆる釣人に使い勝手のよい釣竿ケースを提供することが可能である。
【発明を実施するための最良の形態】
【００１２】
以下、本発明の実施形態を図面に基づいて詳細に説明する。
図１及び図２は請求項１，請求項２及び請求項４の第一実施形態に係る釣竿ケースを示し、図に於て、２１は後記の成形材料を用いて所定形状に形成した１枚の補強板２３と、この表裏に添設した外布（表面側化粧布）２５と内布（裏面側化粧布）２７とを筒状に屈曲して形成した釣竿ケース２９のケース本体で、その底部は、補強板２３より硬い合成樹脂材料で形成された断面コ字状のボトムカップ（底皿体）３１内に差し込まれて、その全周がボトムカップ３１の側壁３３に縫糸で縫着されている。
【００１３】
而して、外布２５と内布２７は、ナイロンやウレタン等の合成樹脂の薄い織布やシート材で形成され、補強板２３は、外布２５より硬い（曲げ剛性が大きい）ポリエチレンやウレタン等の合成樹脂の板材で形成されている。そして、図１及び図２に示すように補強板２３は、ケース本体２１の頂部側から底部に亘ってケース本体２１の長手方向の略全長に設けられており、ケース本体２１の周方向に連続する補強板２３の突合わせ端部２３ａ．２３ｂが、釣竿を出し入れする開口部３５とされている。
【００１４】
そして、釣竿の出し入れを容易にするため、本実施形態は、前記開口部３５を、ケース本体２１に取り付くショルダーベルト３７の近傍（ショルダーベルト３７側）に設けたことを特徴とする。
即ち、開口部３５は、ケース本体２１をショルダーベルト３７を正面としたときの正面側と背面側に於て、ケース本体２１のショルダーベルト３７を設けた側の正面側に配されており、図３に示すように釣竿ケース２９を下ろすと、開口部３５は釣人１側に向くようになっている。
【００１５】
また、図１及び図２に示すように、ケース本体２１の側面の背中当接面３９に、ショルダーベルト３７がケース本体２１の長手方向に沿って取り付くと共に、ショルダーベルト３７と取付面を同じくしてその内側に手提げ用のハンドル４１がケース本体２１の長手方向に沿って取り付き、更に、ケース本体２１の左右側部にサイドポケット４３，４５が取り付けられている。
【００１６】
そして、本実施形態は、ショルダーベルト３７が取り付く背中当接面３９を開口部３５の蓋部として、ショルダーベルト３７の近傍に開口部３５を設けたもので、開口部３５は、ケース本体２１の頂部からボトムカップ３１に亘って長手方向に設けられている。そして、開口部３５に、スライダー４７の操作で前記開口部３５を開閉するスライドファスナー４９が装着されており、図２に示すようにファスナーエレメント４９ａ，４９ｂが取り付く一対のファスナーテープ４９ｃ，４９ｄは、夫々、補強板２３の突合わせ端部２３ａ．２３ｂで外布２５と内布２７との間に縫着されている。
【００１７】
また、図２に示すように背中当接面（蓋部）３９と反対側のケース本体２１の背面側には、ケース本体２１の長手方向に沿ってその頂部側からボトムカップ３１側に亘り、平面状の接地部５１が補強板２３を加工して正面視帯状に形成されており、図３の如く前記接地部５１を岩９等に当接させて釣竿ケース２９を立てかけた際に、平面形状の接地部５１によって釣竿ケース２９がぐらつくことなく位置決めされるようになっている。
【００１８】
尚、本実施形態は、接地部５１をケース本体２１の頂部側からボトムカップ３１側に亘って設けたが、ケース本体２１の少なくともその長手方向の中央より上方側に平面形状の接地部を設けることで釣竿ケース２９の位置決めが可能である。
また、図示しないが、前記接地部５１の表面に岩９等が食い込む柔らかなフェルト等のシート材を貼着して釣竿ケース２９のぐらつきを防止したり、接地部５１の表面に滑り止め用の凹凸を設けてもよい。
【００１９】
本実施形態はこのように構成されているから、図３に示すように釣場５に到着した釣人１がショルダーベルト３７を握って釣竿ケース２９を肩から下ろすと、自重で釣竿ケース２９（ケース本体２１）が垂れ下がってショルダーベルト３７の取付面（背中当接面３９）側が釣人１に対向する。
この時、ショルダーベルト３７の取付面が補強板２３で補強されているため、近傍に開口部３５が設けられていても取付面の変形が防止され、安定して釣竿ケース２９を下ろすことができる。
【００２０】
そして、この状態で、ケース本体２１の背面側に設けた接地部５１を岩９に当接させれば、接地部５１によって釣竿ケース２９はずれることなく岩９に位置決めされて立てかけられ、釣竿を出し入れする開口部３５が釣人１に対向して配置されることとなる。
従って、釣人１は、スライドファスナー４９のスライダー４７を操作して開口部３５を開放することで釣竿を釣竿ケース２９から取り出すことができ、この時、接地部５１によって位置決めされると共に、補強板２３によってケース本体２１の剛性が確保されているため、釣竿ケース２９がぐらついたり変形して倒れたりすることがない。
【００２１】
同様に、釣りを終えて釣竿を釣竿ケース２９内に収容する際も、接地部５１によって釣竿ケース２９がぐらつくことなく位置決めされて開口部３５が釣人１に対向し、また、補強板２３がケース本体２１の剛性を確保しているため、釣竿ケース２９が変形して倒れることがなく、更に、開口部３５の近傍が補強されて開口状態が維持し易くなるため、釣竿の収容が容易となる。
【００２２】
そして、釣竿ケース２９に収容された釣竿は、補強板２３によって保護されることとなる。
このように本実施形態に係る釣竿ケース２９は、図３に示すようにショルダーベルト３７を掴んで肩から下ろして接地部５１を岩９に当接させて立てかけると、釣竿ケース２９がぐらつくことなく位置決めされて開口部３５が釣人１に対向し、且つ補強板２３によりケース本体２１の剛性が確保されて釣竿ケース２９が変形して倒れることがないため、従来に比し釣竿の取り出しや実釣後の収容が容易となって使い勝手が飛躍的に向上することとなった。
【００２３】
そして、既述したように本実施形態は、位置決め用の接地部５１と開口部３５とがケース本体２１の反対側に夫々配置されているため、接地部５１を岩９等に当接させて釣竿ケース２９を立てかければ、必ず開口部３５が釣人１側に向くので、あらゆる釣人に使い勝手のよい釣竿ケース２９を提供することが可能である。
また、補強板２３によってケース本体２１の剛性が確保される結果、釣竿ケース２９に収容された釣竿が補強板２３によって確実に保護される利点を有する。
【００２４】
図４は請求項１乃至請求項４に係る釣竿ケースの一実施形態を示し、本実施形態に係る釣竿ケース５３は、図２の構成に加え、ショルダーベルト３７を挟んで開口部３５の反対側にヒンジ部５５を前記開口部３５に沿って設けて、前記背中当接面（蓋部）３９を、構造上、明確に開口部３５の蓋部５７としたものである。
ここで、ヒンジ部５５は、補強板２３の曲げ剛性を他の部分よりも小さくして折り曲げ可能としたもので、本実施形態は、ショルダーベルト３７を挟んで開口部３５の反対側の補強板２３の部位に、糸５９を前記開口部３５に沿ってケース本体２１の長手方向に縫着してヒンジ部５５を形成しており、斯様に補強板２３に糸５９を縫着することで、補強板２３にヒンジ部５５に沿って縫着孔が形成されて曲げ剛性が小さくなり、糸５９の縫着によって補強板２３が薄肉となり、更に、糸５９の縫着によって補強板２３に折り癖が付けられることが相俟って、前記ヒンジ部５５が開口部３５に沿って形成されることとなる。
【００２５】
尚、このような糸５９の縫着に代え、他の手段で開口部３５に沿って補強板２３に薄肉部を設けたり、折り癖を付けてヒンジ部を形成してもよい。
そして、その他の構成は図１の実施形態と同様であるので、同一のものには同一符号を付してそれらの説明は省略する。
本実施形態はこのように構成されているから、前記実施形態と同様、所期の目的を達成することができることは勿論、前記背中当接面（蓋部）３９に比し、ヒンジ部５５を介して開閉が容易な蓋部５７を設けた結果、更に釣竿の取り出しや収容が容易となって使い勝手が向上する利点を有する。
【００２６】
また、前記各実施形態は、ケース本体２１の頂部側から底部に亘ってケース本体２１の長手方向の略全長に１枚の補強板２３を設けたが、仕様に応じ、例えばケース本体の長手方向中央が太くなるように釣竿ケースが形成されているような場合には、図５に示す請求項１，請求項２及び請求項４の第二実施形態に係る釣竿ケース６１の如く上下に補強板２３-1，２３-2を分割すれば、ケース本体２１Ａの形状に沿うように補強板２３-1，２３-2を正確に形成することができ、ケース本体２１Ａが形成し易い利点を有する。
【００２７】
尚、図５中、６３は補強板２３-1，２３-2を着脱自在に連結する面粘着テープである。
而して、本実施形態によれば、図１の釣竿ケース２９と同様、所期の目的を達成することができることは勿論、ケース本体２１Ａの形状に沿うように補強板２３-1，２３-2を分割することで、ケース本体２１Ａが形成し易い利点を有する。
更に、図１の実施形態は、図２に示すように１枚の補強板２３をケース本体２１の周方向に連続するように設けたが、周方向に補強板を分割してこれらを一体的に接続させてもよい。
【００２８】
更にまた、既述したように図１の実施形態は、ケース本体２１の長手方向の略全長に亘って補強板２３を設けたが、長手方向の略全長に亘って補強板を設けず、長手方向のいずれかの部位に設けてもよい。
但し、この場合、補強板は少なくとも最も応力がかかるショルダーベルト３７の上部取付部（図１中、６５）を含んで設けることが好ましく、更にはショルダーベルト３７の上部取付部６５と下部取付部（図１中、６７）を含んで設けることが好ましい。
【図面の簡単な説明】
【００２９】
【図１】請求項１，請求項２及び請求項４の第一実施形態に係る釣竿ケースの正面図である。
【図２】図１のII−II線断面図である。
【図３】図１に示す釣竿ケースの使用方法の説明図である。
【図４】請求項１乃至請求項４の一実施形態に係る釣竿ケースの断面図である。
【図５】請求項１，請求項２及び請求項４の第二実施形態に係る釣竿ケースの正面図である。
【図６】従来の釣竿ケースの使用方法の説明図である。
【符号の説明】
【００３０】
２１，２１Ａ  ケース本体
２３，２３-1，２３-2  補強板
２５  外布
２７  内布
２９，５３，６１  釣竿ケース
３５  開口部
３７  ショルダーベルト
３９  背中当接面（蓋部）
４１  ハンドル
４９  スライドファスナー
５１  接地部
５５  ヒンジ部
５７  蓋部
５９  糸
６３  面粘着テープ
【図１】
2008092823.tif 000003
【図２】
2008092823.tif 000004
【図３】
2008092823.tif 000005
【図４】
2008092823.tif 000006
【図５】
2008092823.tif 000007
【図６】
2008092823.tif 000008